(57)【特許請求の範囲】
【請求項１】
外周へネジ山２を切った円柱状のネジ込み部３とこのネジ込み部３の頭部へ一体的に形成され、内部が空胴となった筒状部４とからなる金属製の本体１内にワックス型サーモスタット８をそのベッセル部９がネジ込み部３内に位置するように埋め込んでそのピストンロッド１０を筒状部４内において軸芯方向に伸縮自在に位置させ、更に天板１２によって上端が閉塞された円筒状の表示体１１を該天板１２が上になる様に前記ピストンロッド１０にかぶせ、該天板１２の裏面と筒状部４の内底との間にスプリング１５を介装して前記表示体１１を上方に付勢すると共に、該天板１２の表面側に係止板１６を取付け、該係止板１６の端部を筒状部４の上縁内周に取付けられたワッシャ７で仮止めし、ピストンロッド１０の収縮時にはスプリング１５の弾発力に抗した状態で表示体１１が筒状部４内に収納される様にすると共に、ピストンロッド１０の伸長時には該ピストンロッド１０の押圧力により係止板１６とワッシャ７との仮止め状態が解除され、スプリング１５の弾発力により表示体１１が筒状部４の上方へ跳び出す様にしたことを特徴とする異常高温感知表示具。
【請求項２】
外周へネジ山２を切った円柱状のネジ込み部３とこのネジ込み部３の頭部へ一体的に形成され、内部が空胴となった筒状部４とからなる金属製の本体１のネジ込み部３内にその軸芯方向へ筒状部４の内底から深孔２２を設け、該深孔２２中にその上方へ空隙が残る様にワックス２３を充填し、該ワックス２３の上端面からは筒状部４の上端面に達する長さのピストンロッド２４を植設し、更に天板１２によって上端が閉塞された円筒状の表示体１１を該天板１２が上になる様に前記ピストンロッド２４にかぶせ、該天板１２の裏面と筒状部４の内底との間にスプリング１５を介装して前記表示体１１を上方に付勢すると共に、該天板１２の表面側に係止板１６を取付け、該係止板１６の端部を筒状部４の上縁内周に取付けられたワッシャ７で仮止めし、ピストンロッド２４の収縮時にはスプリング１５の弾発力に抗した状態で表示体１１が筒状部４内に収納される様にすると共に、ピストンロッド２４の伸長時には該ピストンロッド２４の押圧力により係止板１６とワッシャ７との仮止め状態が解除され、スプリング１５の弾発力により表示体１１が筒状部４の上方へ跳び出す様にしたことを特徴とする異常高温感知表示具。
【発明の詳細な説明】
【０００１】
【発明の属する技術分野】
この発明は、異常温度感知表示具、詳しくは送電線の接合部や各種電気機器の発熱箇所に取付け、異常に温度が上昇した際、警告の為それを表示する装置に関するものである。
【０００２】
【従来の技術】
送電線の接合部やモーターなど稼動の際に熱を発する各種電気機器においては、何らかの原因によって異常な発熱がおこる場合があるが、その際には機器の運転の停止、原因の探求等必要な措置をすみやかに取らなければ更に重大な事故の発生にもつながる為、この異常発熱を迅速確実に知ることが是非とも必要である。
【０００３】
この異常発熱を知る手段として、平面状に加工されあらかじめ設定された温度に達すると溶融する着色ワックスとこの着色ワックスが浸透することにより発色する紙片とを重畳してシート状にしたものが従来から存在しており、あらかじめ温度感知すべき送電線の接合部や電気機器の表面にこれを貼り付けておき、着色ワックスの溶融に伴う発色によって温度状態を判断しようとするものであった。又、作業者が機器表面の状態を目視し、その色や焦げ具合によって温度を推測することも行われていた。
【０００４】
【発明が解決しようとする課題】
しかし、上述のシート状物を送電線の接合部の表面や電気機器の表面に貼るものにおいては、表面温度から内部温度を推定するにすぎず、極めて不正確であり、気象等外環境の変化によって大きく影響を受ける重大な欠点があった。一方、作業員の目視による判断が極めて不正確なものであることは論を待たない。この発明はこの電気機器の温度感知に関する上記従来の問題点を解決することを目的とするものであり、気象等外環境の変化による影響を受けることなく、正確に発熱箇所、発熱温度を客観的に把握できる便利な異常高温感知表示具を提供せんとするものである。
【０００５】
【課題を解決するための手段】
この発明は、外周へネジ山２を切った円柱状のネジ込み部３とこのネジ込み部３の頭部へ一体的に形成され、内部が空胴となった筒状部４とからなる金属製の本体１内にワックス型サーモスタット８をそのベッセル部９がネジ込み部３内に位置するように埋め込んでそのピストンロッド１０を筒状部４内において軸芯方向に伸縮自在に位置させ、更に天板１２によって上端が閉塞された円筒状の表示体１１を該天板１２が上になる様に前記ピストンロッド１０にかぶせ、該天板１２の裏面と筒状部４の内底との間にスプリング１５を介装して前記表示体１１を上方に付勢すると共に、該天板１２の表面側に係止板１６を取付け、該係止板１６の端部を筒状部４の上縁内周に取付けられたワッシャ７で仮止めし、ピストンロッド１０の収縮時にはスプリング１５の弾発力に抗した状態で表示体１１が筒状部４内に収納される様にすると共に、ピストンロッド１０の伸長時には該ピストンロッド１０の押圧力により係止板１６とワッシャ７との仮止め状態が解除され、スプリング１５の弾発力により表示体１１が筒状部４の上方へ跳び出す様にすることにより上記課題を解決せんとするものである。
又、外周へネジ山２を切った円柱状のネジ込み部３とこのネジ込み部３の頭部へ一体的に形成され、内部が空胴となった筒状部４とからなる金属製の本体１のネジ込み部３内にその軸芯方向へ筒状部４の内底から深孔２２を設け、該深孔２２中にその上方へ空隙が残る様にワックス２３を充填し、該ワックス２３の上端面からは筒状部４の上端面に達する長さのピストンロッド２４を植設し、更に天板１２によって上端が閉塞された円筒状の表示体１１を該天板１２が上になる様に前記ピストンロッド２４にかぶせ、該天板１２の裏面と筒状部４の内底との間にスプリング１５を介装して前記表示体１１を上方に付勢すると共に、該天板１２の表面側に係止板１６を取付け、該係止板１６の端部を筒状部４の上縁内周に取付けられたワッシャ７で仮止めし、ピストンロッド２４の収縮時にはスプリング１５の弾発力に抗した状態で表示体１１が筒状部４内に収納される様にすると共に、ピストンロッド２４の伸長時には該ピストンロッド２４の押圧力により係止板１６とワッシャ７との仮止め状態が解除され、スプリング１５の弾発力により表示体１１が筒状部４の上方へ跳び出す様にしても良い。
【０００６】
【発明の実施の形態】
図１はこの発明に係る異常高温感知表示具の第１の実施形態の断面図である。図中１は本体であり、外周へネジ山２を切った円柱状のネジ込み部３と、このネジ込み部３と一体的に形成され、内部が空胴となった筒状部４とからなっており、鉄、アルミ等熱伝導性にすぐれた金属をその素材としている。そして、筒状部４の上縁内周にはワッシャ７がその上縁を内側にカシメることによって取付けられている。
【０００７】
一方、８はワックス型サーモスタットであり、円筒状をなしたベッセル部９、その上方に位置しベッセル部９より径の大きいカバー部１８及びカバー部１８から伸縮自在に突き出したピストンロッド１０とからなっており、そのベッセル部９は本体１のネジ込み部３内に埋め込まれ、ピストンロッド１０は筒状部４内軸芯方向に伸縮自在に位置せしめられている。又、１１は表示体であり、天板１２により上端が閉塞された円筒状をなしており、その天板１の軸芯上面には止めネジ１３が一体的に設けられている。そして、この表示体１１は図示の通り筒状部４内においてピストンロッド１０にかぶせられており、その天板１２の上端面がワッシャ７とほぼ一致する高さとなっている。
なお、１９は表示体１１の外側に入れ子式に重ねられた表示筒体であり、その上縁内側には内側張り出し片２０が設けられ、表示体１１が上方に移動すると、表示体１１の下縁外側に設けられた外側張り出し片２１がその内側張り出し片２０に係合し、表示体１１の移動に追従して上方へ持ち上る様になっている。更に、この表示体１１の内部には、その天板１２の裏面と筒状部４の内底との間にコイルスプリング１５が介装されており、この表示体１１を上方へ付勢している。
【０００８】
又、天板１２の表面側には中央に透孔を有する円板状の係止板１６が止めネジ１３により固定されており、該係止板１６の端部は筒状部４の上縁内周に取付けられたワッシャ７で仮止めされ、表示体１１は前記コイルスプリング１５の弾発力に抗しながら筒状部４の内部にかくれた状態となっている。  なお、表示体１１及び表示筒体１９はプラスチック等で形成されており、その表面は目立ちやすい色で彩色されている。
【０００９】
この第１の実施の形態は上述の通りの構成を有し、送電線の接合部等所望の被測定箇所へメネジをあけ、そこへネジ込み部３をネジ込んで固定し、使用に供するものである。そして、被測定箇所があらかじめ設定された温度、例えば７０℃達するとワックス型サーモスタット８のベッセル部９内のワックスは膨張を開始し、ピストンロッド１０が伸長し始める。すると、ピストンロッド１０の先端は表示体１１の天板１２の裏面を下から押圧し、それまでスプリング１５の力に抗してワッシャ７によって仮止めされていた係止板１６はこのピストンロッド１０の押圧力に耐えられず、ワッシャ７からはずれてしまう。すると、表示体１１及び表示筒体１９はスプリング１５の弾発力によって図２に示す様に筒状部４の上方へ勢いよく跳び出し、露出することになる。
【００１０】
従って、この表示体１１及び表示筒体１９が露出していることを見れば、被測定箇所の温度の異常な上昇を知ることができる。この表示体１１は一旦跳び出すと外力により筒状部４内へ再び押し戻すまでそのままの状態を保持しつづけるので、被測定箇所が正常な温度に復帰しても過去の異常高温の状態をいつまでも示す。
この為、山間部の送電線接合部の様に一定期間毎の巡回点検を行う機器においても過去の異常高温の履歴を正確に表示し続けることになる。
【００１１】
次に図３及び図４に基づいてこの発明にかかる異常高温感知表示具の第２の実施形態について説明する。
この実施形態においては本体１のネジ込み部３内に深孔２２があけられている。この深孔２２は筒状部４方向からあけられており、その深さはネジ込み部３の全長のほぼ２／３に達している。そして、この深孔２２内にはそのほぼ２／３にわたってワックス２３が充填され、その上方にはピストンロッド２４が植設されている。図中２５はワックス２３上面とピストンロッド２４下面との間に介在している円盤状のゴムである。
【００１２】
他の部分は前述の図１、図２に示した第１の実施形態と同じであり、同一符号を付しその説明を省略する。この第２の実施形態においてはネジ込み部３に深孔２２をあけてこれに直接ワックス２３を充填しており、高価なワックス型サーモスタットを用いていないので、低コストで生産することができ、大量生産向きである。
【００１３】
【発明の効果】
この発明に係る異常高温感知表示具は上記の通りの構成を有するものであり、表示体の露出といった最も分かりやすい方法で異常高温の事実を表示するものであり、直接近ずくことができにくい山間部の送電線接続部の様な場所においても正確に異常を知らせることができる。又、作動も確実で、誤作動や不作動のおそれも皆無である。
更に、機器の表面ではなく、実際に知りたい機器内部の温度の状態を表示する為、正確に発熱箇所や温度を特定でき、故障原因の探究や機器の機能維持の為の重要な情報として用いることができるすぐれた効果を有し、極めて実用的なものである。
【００１４】
【図面の簡単な説明】
【図１】  この発明に係る異常高温感知表示具の第１の実施形態の半裁断面図。
【図２】  その表示状況を表した半裁断面図。
【図３】  第２の実施形態の半裁断面図。
【図４】  その表示状況を表した半裁断面図。
【符号の説明】
１            本体
２            ネジ山
３            ネジ込み部
４            筒状体
７            ワッシャ
８            ワックス型サーモスタット
９            ベッセル部
１０            ピストンロッド
１１            表示体
１２            天板
１３            止めネジ
１５            スプリング
１６            係止板
１８            カバー部
１９            表示筒体
２０            内側張り出し片
２１            外側張り出し片
２２            深孔
２３            ワックス
２４            ピストンロッド
２５            ゴム
【図１】
0003739505.tif 000002
【図２】
0003739505.tif 000003
【図３】
0003739505.tif 000004
【図４】
0003739505.tif 000005